(57)【要約】      （修正有）【課題】高級感を備えるとともに、広い収納空間を有する収納具及び天板付き家具を提供する。【解決手段】収納具１は、収納具本体の頂板２０に幅方向略全体に亘って延在する第１の上方レールが設けられ、この第１の上方レールより前方に延びる第１の支持要素３０を介して前面よりも前方で前側引き戸３を懸吊支持して、前側引き戸３により頂板２０の前面２０ｘを被覆するとともに前側引き戸３を収納具本体の一方の側板２３ａの前面２３ａｘから他方の側板２３ｂの前面２３ｂｘに亘ってスライド移動可能に構成し、収納具本体内部の上方に、前側引き戸３が閉止に向けてスライド移動する際の速度を低下させる第１の減速手段５を設けるように構成した。【選択図】図５
2015025334.tif 000002
【特許請求の範囲】
【請求項１】
収納空間を有し、その収納空間を外部に開放する開口が前面に形成された収納具本体を有する収納具において、
前記収納具本体を構成する頂板に幅方向に延在するガイドレールを設け、このガイドレールより前方に延びる支持要素を介して前記前面よりも前方で前記引き戸を懸吊支持して当該引き戸により前記頂板の前面を被覆し、
前記引き戸の上部とほぼ等しい高さ位置に、当該引き戸が閉止に向けてスライド移動する際の速度を低下させる減速手段を設けたことを特徴とする収納具。
【請求項２】
前記引き戸を、前記収納具本体を構成する一方の側板の前面から他方の側板の前面に亘ってスライド移動可能に構成していることを特徴とする請求項１記載の収納具。
【請求項３】
前記ガイドレールに、前記支持要素をレール外に持ち出すための開放部が後方に向けて形成されていることを特徴とする請求項１又は２記載の収納具。
【請求項４】
前記引き戸をその後方に第２の引き戸が設けられた前側引き戸として利用し、この前側引き戸を支持するガイドレールの後方に幅方向に延在する第２のガイドレールを設け、この第２のガイドレールより前方に延びる第２の支持要素を介して、前記前側引き戸を支持する前記支持要素の下方に上面が位置するように前記第２の引き戸を懸吊支持していることを特徴とする請求項１〜３の何れかに記載の収納具。
【請求項５】
前記前側引き戸を支持する前記ガイドレール及び前記第２のガイドレールに、前記支持要素をレール外に持ち出すための開放部を互いに対向して形成していることを特徴とする請求項４記載の収納具。
【請求項６】
前記前側引き戸を支持する前記ガイドレール内に前記支持要素を介して前記前側引き戸に接続された第１の移動体を移動可能に収容するとともに、前記第２のガイドレール内に前記第２の支持要素を介して前記第２の引き戸に接続された第２の移動体を移動可能に収容し、両ガイドレールの間に、前記減速手段及び前記後ろ側引き戸が閉止に向けて移動する際の速度を低下させる第２の減速手段を設けていることを特徴とする請求項４又は５記載の収納具。
【請求項７】
請求項１〜６の何れかに記載の収納具の上面に天板を載置することで構成した天板付き家具。
【発明の詳細な説明】
【技術分野】
【０００１】
本発明は、高級感のある外観を備えつつ、収容空間が広く良好な操作性を得ることのできる収納具及び天板付き家具に関するものである。
【背景技術】
【０００２】
キャビネット等の収納具は、内部に収納空間が形成された収納具本体を有するものであり、特許文献１には、幅方向にスライド移動することで、収納空間を外方に開放する開口部を開閉する引き戸を備えた収納具が開示されている。特許文献１に開示の収納具において、引き戸は上面及び下面にそれぞれ複数の車輪を備えるとともに、収納具本体の開口縁部にはその幅方向に延在するレールが上下に設けられている。このレール内に引き戸の車輪が回転可能に挿入されており、これによって引き戸はレールに沿って収納具本体内部をスライド移動する構成となっている。
【先行技術文献】
【特許文献】
【０００３】
【特許文献１】特開２００４−８９２２１号公報
【発明の概要】
【発明が解決しようとする課題】
【０００４】
ところで、特許文献１に開示の収納具をはじめとするこの種の収納具は、引き戸の高さ寸法が前記開口部の高さ寸法よりも小さく、外部から見て引き戸の上方から収納具本体を構成する頂板の前面が視認可能であることが多い。このように頂板の前面が視認可能な収納具は、安っぽい印象を与えやすく、たとえ引き戸に高級感のある意匠を施したり、木材等の高級感のある材料を用いたとしても高級感が薄れてしまう。また、利用者が注意を払わない場合、引き戸が閉止に向けて勢いよくスライド移動し、引き戸の移動範囲を制限するストッパー等に衝突して騒音が発生するおそれがあり、このように騒音が発生する収納具は高級感を備えたものであるとは言い難い。さらに、収納具本体内部に引き戸が設けられていることから、引き戸の厚み分だけ収納具本体内部の収納空間が狭くなるという欠点もある。
【０００５】
本発明は、上記のような課題を解消することを目的としており、具体的には、高級感のある外観を備えつつ広い収納空間を有するとともに、良好な使用感を得ることが可能な収納具及び天板付き家具を提供することを目的とする。
【課題を解決するための手段】
【０００６】
本発明は、かかる目的を達成するために、次のような手段を講じたものである。
【０００７】
すなわち、本発明の収納具は、収納空間を有し、その収納空間を外部に開放する開口が前面に形成された収納具本体を有する収納具において、前記収納具本体を構成する頂板に幅方向に延在するガイドレールを設け、このガイドレールより前方に延びる支持要素を介して前記前面よりも前方で前記引き戸を懸吊支持して当該引き戸により前記頂板の前面を被覆し、前記引き戸の上部とほぼ等しい高さ位置に、当該引き戸が閉止に向けてスライド移動する際の速度を低下させる減速手段を設けたことを特徴とする。
【０００８】
このように構成すると、ガイドレールより前方に延びる支持要素によって引き戸が懸吊支持されるとともに収納具本体の前面よりも前方に位置することになり、外部から見て収納具本体の頂板の前面が引き戸により遮られて視認し得ない状態となることから、高級感のある意匠性を備えた収納具とすることができる。また、減速手段を設けることで、引き戸がゆっくりと閉止される機能を付与した高級感のある収納具とすることができる。また、引き戸を配置するための空間を収納具本体の内部に設ける必要がなく、広い収納空間を確保することができる。さらに、引き戸を支持するガイドレールと減速手段とが収納具内部の上方に設けられることになり、減速手段が下方に設けられる場合よりもスライド移動する引き戸に減速手段によって生じるモーメントが小さくなることから、引き戸の傾きを抑制して良好な操作性を得ることができる。
【０００９】
また、引き戸として重量の大きいものを用いたり、ガイドレールより前後方向に引き戸を離間させることで、収納具本体内部で各部材に抵抗が生じて引き戸がスライド移動しにくくなるおそれがあるが、引き戸が懸吊支持された吊り戸構造であることから、各部材に生じる抵抗を低減させて円滑な操作性を得ることができる。
【００１０】
収納具本体の開口の開口幅を大きくするためには、前記引き戸を、前記収納具本体を構成する一方の側板の前面から他方の側板の前面に亘ってスライド移動可能に構成することが好ましい。
【００１１】
また、前記支持要素として前後方向の長さが短いものを利用可能な構成とするためには、前記ガイドレールに、前記支持要素をレール外に持ち出すための開放部が後方に向けて形成されている構成とすることが好ましい。
【００１２】
前記引き戸をその後方に第２の引き戸が設けられた前側引き戸として利用し、２枚の引き違い戸を備える構成とした場合に、これら引き戸同士の干渉を避けて引き残しを生じさせず、開放幅を大きく設定するためには、前側引き戸を支持するガイドレールの後方に幅方向に延在する第２のガイドレールを設け、この第２のガイドレールより前方に延びる第２の支持要素を介して、前記前側引き戸を支持する前記支持要素の下方に上面が位置するように前記第２の引き戸を懸吊支持している構成とすることが好ましい。
【００１３】
また、各ガイドレールの前方又は後方には各移動体及び各支持要素をレール内に収容するための空間を確保する必要があるが、そのような空間を共用して収納具本体の収納空間をより広く利用するためには、前記前側引き戸を支持する前記ガイドレール及び前記第２のガイドレールに、前記支持要素をレール外に持ち出すための開放部を互いに対向して形成している構成とすることが望ましい。
【００１４】
さらに、第２の引き戸が閉止に向けて移動する際の速度を低下させる減速手段をも備える構成とした場合に、各引き戸の閉止時における操作感を均等にするためには、前記前側引き戸を支持する前記ガイドレール内に前記支持要素を介して前記前側引き戸に接続された第１の移動体を移動可能に収容するとともに、前記第２のガイドレール内に前記第２の支持要素を介して前記第２の引き戸に接続された第２の移動体を移動可能に収容し、両ガイドレールの間に、前記減速手段及び前記後ろ側引き戸が閉止に向けて移動する際の速度を低下させる第２の減速手段を設けた構成とすることが望ましい。
【００１５】
以上のような収納具の上面に天板を載置することで、高級感を備えつつ、収納具本体の開口の開放幅が大きい収納具を備える天板付き家具を構成することが可能となる。
【発明の効果】
【００１６】
本発明は、以上説明した構成であるから、収納具本体の頂板の前面が被覆された高級感のある意匠性を備えるとともに減速手段を取り付けたことで機能面でも高級感を有し、収納空間が広く、さらには操作性の良好な収納具及び天板付き家具を提供することができる。
【図面の簡単な説明】
【００１７】
【図１】本発明の一実施形態に係る収納具の斜視図。
【図２】同収納具の側断面図。
【図３】同収納具を構成する前側引き戸の側断面図。
【図４】同収納具を構成する後ろ側引き戸の側断面図。
【図５】同収納具の正面図。
【図６】同収納具を構成要素として含む天板付き家具の斜視図。
【図７】本発明の変形例を示す図。
【図８】本発明の変形例を示す図。
【図９】本発明の変形例を示す図。
【図１０】本発明の変形例を示す図。
【図１１】本発明の変形例を示す図。
【発明を実施するための形態】
【００１８】
以下、本発明の一実施形態を、図面を参照して説明する。
【００１９】
本実施形態の収納具１は、図１，２に示すように、収納具本体２と、幅方向にスライド移動して収納具本体２の前面２４に設けられた開口２５を開閉可能にする第１の引き戸としての前側引き戸３及び第２の引き戸としての後ろ側引き戸４を備える。また、閉止に向けてスライド移動している前側引き戸３の速度を低下させる第１の減速手段５、及び、閉止に向けてスライド移動している後ろ側引き戸４の速度を低下させる第２の減速手段６を備える。
【００２０】
図１，２に示すように、収納具本体２は、頂板２０、底板２１、左右一対の側板２３ａ，２３ｂ及び背面板２２を組み付けることによって前面２４を開口させ、内部に収納空間Ｓを形成したものである。
【００２１】
頂板２０は、平面視矩形状であり、その前縁を側面視Ｌ字状になるように下方に折り曲げて上框２０ａを形成している。また、この頂板２０の対向位置に設けられた平面視矩形状の底板２１は、その前縁を上方に直角に折り曲げて図示しない下框を形成している。頂板２０の下面２０ｄには、頂板２０と略同形状であり、板金等からなる板状部材２０ｅが図示しないネジ等によって固定されている。この板状部材２０ｅの前縁を図２に示すように側面視略Ｕ字状に折り曲げて第１の補強桟２０ｂを形成し、この第１の補強桟２０ｂを上框２０ａの内部に挿入させている。また、板状部材２０ｅには、第１の補強桟２０ｂよりも後方側を下向きに折り曲げることで上框２０ａと平行に延びる側面視略Ｕ字状の第２の補強桟２０ｃが形成されており、第１の補強桟２０ｂと第２の補強桟２０ｃとの間に、前述の第１の上方レール７及び第２の上方レール８が取り付けられている。なお、本明細書において「略同形状」には「同形状」が含まれ、後述する「略同一」には同一が含まれる。
【００２２】
底板２１には、上方に向けて開放された図示しない第１の下部レールが下框の後方において収納具本体２の幅方向略全域に延在して形成されており、この第１の下部レールの後方には上方に向けて開放されて収納具本体２の幅方向略全域に延在する図示しない第２の下部レールが形成されている。
【００２３】
図１，５に示すように、前側引き戸３は、収納具本体２の前面２４と略同一の高さ寸法を有するとともに閉止時に正面から見て開口２５の右半分を覆う正面視矩形状のものである。このとき、頂板２０の前面２０ｘ及び底板２１の前面２１ｘはオーバーハング構造である前側引き戸３により幅方向の右半分が被覆（オーバーラップ）される。この前側引き戸３は、第１の上部レール７（図２参照）と前記第１の下部レールとを利用して収納具本体２の幅方向にスライド移動する。後ろ側引き戸４は、図１，５に示すように、開口２５よりも小さい高さ寸法を有するとともに閉止時に正面から見て開口２５の左半分を覆う正面視矩形状のものであり、第２の上部レール８（図２参照）と前記第２の下部レールとを利用して収納具本体２内部をその幅方向にスライド移動するものである。これらの引き戸３，４は、例えばスチール製又は木製である。
【００２４】
前側引き戸３には、その表面３ａの幅方向両端部に上端から下端に亘って前方に向けて開口した凹部を有する引き手３４ａ，３４ｂが取り付けられており、この凹部の一部に利用者の指先を掛けて幅方向へ力を付与することで前側引き戸３を移動させることが可能となっている。後ろ側引き戸４の表面４ａの幅方向両端部にも、上記と同様の構成の引き手４４ａ，４４ｂが取り付けられている。
【００２５】
このような前側引き戸３の正面視右側端部を第１の側板２３ａの前方に重合するよう位置させるとともに後ろ側引き戸４の正面視左側端部を第２の側板２３ｂに当接させることで、これらの引き戸３，４により収納具本体２の開口２５を閉止することができ、この状態から少なくとも前側引き戸３を左側にスライド移動させる、又は、後ろ側引き戸４を右側にスライド移動させることで、収納具本体２の開口２５を開放することができる。
【００２６】
図２に示すように、第１の上方レール７は、収納具本体２の幅方向略全体に延在するチャネル状のもので、板状部材を直角に３回折り曲げて成形され、互いに対向する２つの起立壁７０，７２、これらの起立壁７０，７２の下端同士を繋ぐ底壁７１及びこの底壁７１に対向する頂壁７３により構成されている。後ろ側の起立壁７０は、前側の起立壁７２よりも低く構成されており、後ろ側の起立壁７２と頂壁７３との間に第１の支持要素（吊り金具）３０をレール外に持ち出すための隙間として第１の開放部７ａが内向きに形成されている。第１の上方レール７の内部には第１の移動体として第１のローラ３５が収容されており、この第１のローラ３５は、第１の支持要素３０の一端に後述する水平軸７４を介して回転可能に接続されて、レール内をその延在方向に回転移動する。
【００２７】
第１の支持要素３０は、図２，３に示すように、水平軸７４、後ろ側の立片３１、水平片３２及び前側の立片３３で構成され、後ろ側の立片３１に水平軸７４が第１の上方レール７の延在方向に離間して２つ設けられ、これらの水平軸７４，７４のそれぞれに第１のローラ３５が取り付けられている。後ろ側の立片３１の下端からは水平片３２が前方に向かって延びており、この水平片３２の前端から前側の立片３３が下方に延びている。このように第１の支持要素３０は、前側の立片３３の前面３３ａが収納具本体２の前面２４よりも前方に位置するように第１の上方レール７より持ち出されている。第１の支持要素３０は、図５に示すように第１の上方レール７の延在方向に離間して２つ取り付けられており、これらの第１の支持要素３０，３０の前側の立片３３，３３には、それぞれ前側引き戸３が固定されている。前側引き戸３は、その裏面３ｂの上側で第１の支持要素３０，３０と連結している。また、この前側引き戸３の裏面３ｂの下側には、２つの第１の支持要素３０と左右方向に略同一となる位置に、前記第１の下部レールの内部に収容され、その延在方向に沿って移動可能な下部ローラ３５ａ（図３参照）がそれぞれ取り付けられている。
【００２８】
図２に示すように、第２の上方レール８は、第１の上方レール７の後方において収納具本体２の幅方向略全体に設けられている。第２の上方レール８は、第１の上方レール７と同様に板状部材を直角に３回折り曲げて成形され、互いに対向する２つの起立壁８０，８２、これらの起立壁８０，８２の下端同士を繋ぐ底壁８１及びこの底壁８１に対向する頂壁８３により構成されるチャネル状のものである。前側の起立壁８０は、後ろ側の起立壁８２よりも低く構成されており、前側の起立壁８０と頂壁８３との間に第２の支持要素（吊り金具）４０をレール外に持ち出すための隙間として第２の開放部８ａが前記第１の開放部７ａと対向して外向きに形成されている。第２の上部レール８の内部には第２の移動体としての第２のローラ４５が収容されており、第２のローラ４５は第２の支持要素４０の一端に後述する水平軸８４を介して回転可能に接続され、レール内を延在方向に回転移動する。
【００２９】
第２の支持要素４０は、図２，４に示すように、水平軸８４、後ろ側の立片４１、水平片４２及び前側の立片４３で構成され、後ろ側の立片４１に水平軸８４が第２の上方レール８の延在方向に離間して２つ設けられており、これらの水平軸８４，８４にそれぞれ第２のローラ４５が取り付けられている。また、第２の支持要素４０は、後ろ側の立片４１の下端が第１の支持要素３０の水平片３２よりも下方まで延びており、その下端から水平片４２が前方に延びて、この水平片４２の前端から前側の立片４３が下方に延びている。このように第２の支持要素４０は、前側の立片４３が、第１の支持要素３０における後ろ側の立片３１と前後方向の略同一位置となるように第２の上方レール８より持ち出されている。第２の支持要素４０は、図５に示すように第２の上方レール８の延在方向に離間して２つ取り付けられており、図２に示すように、前側の立片４３には第１の支持要素３０の水平片３２よりも下方に上面４ｃが位置するように後ろ側引き戸４が固定されている。後ろ側引き戸４は、その裏面４ｂの上側で第２の支持要素４０，４０と連結している。また、この後ろ側引き戸４の裏面４ｂの下方には、２つの第２の支持要素４０と左右方向に略同一となる位置に、前記第２の下部レールの内部に収容され、その延在方向に沿って移動可能な下部ローラ４５ａ（図４参照）がそれぞれ取り付けられている。
【００３０】
図２に示すように、本実施形態では第１の上方レール７と第２の上方レール８とは頂壁同士が接続された一体ものの部材として構成されており、これらの上方レール７，８の間には、前側引き戸３が閉止に向かってスライド移動する際の速度を低下させる第１の減速手段５が設けられている。
【００３１】
第１の減速手段５は、図２，５に示すように、図示しない緩衝機構及び引き込み機構を備える第１の減速手段本体としての第１のソフトクローズ機構（ソフトクローズユニット）５０と、この第１のソフトクローズ機構５０の凸状の作動部５１と係合可能な第１の受座５２とで構成される。
【００３２】
第１のソフトクローズ機構５０は、図２，３に示すように第１のブラケット５３を介して前側引き戸３の裏面３ｂに固定されている。この第１のブラケット５３は、２つの第１の支持要素３０，３０の間において正面視右側寄りに取り付けられており（図５参照）、前側の立片５６と、この立片５６の上端から後方に延びる水平片５５と、この水平片５５の後端から上下方向に延びる後ろ側の立片５４とから構成され、この後ろ側の立片５４に第１のソフトクローズ機構５０が固定されている。第１の受座５２は、図２，５に示すように、一体ものの部材として構成されている上方レール７，８の頂壁７３，８３の境界部、すなわち第１のソフトクローズ機構５０の作動部５１と前後方向に略同一となる位置において収納具本体２の正面視右側寄りに設けられており、当該作動部５１と係合可能な高さ位置まで下方に突出している。
【００３３】
このような第１の減速手段５を備えることから、前側引き戸３を閉止に向けて左側から右側に向かってスライド移動させると、第１のソフトクローズ機構５０の作動部５１と上部レール７，８に固定されている第１の受座５２とが途中で係合し、前記緩衝機構の作用により作動部５１が第１のソフトクローズ機構５０内を相対的に右から左へゆっくりと移動する。そのため、第１のソフトクローズ機構５０が取り付けられている前側引き戸３にブレーキが掛かって移動速度が低下し、その速度が一定になると、前記引き込み機構の作用により作動部５１が第１のソフトクローズ機構５０内を相対的に右から左に向かってゆっくりと移動する。したがって、前側引き戸３は閉止時に第１の側板２３ａへ向かってゆっくりと移動し、前側引き戸３がストッパー等に衝突することによる衝撃を抑制することができる。
【００３４】
また、図２，５に示すように、第１の上方レール７と第２の上方レール８との間には、後ろ側引き戸４が閉止に向かってスライド移動する際の速度を低下させる第２の減速手段６がさらに設けられている。
【００３５】
第２の減速手段６は、図２，４に示すように、図示しない緩衝機構及び引き込み機構を備える第２の減速手段本体としての第２のソフトクローズ機構（ソフトクローズユニット）６０と、この第２のソフトクローズ機構６０の凸状の作動部６１と係合可能な第２の受座６２とで構成される。第２のソフトクローズ機構６０は、図２，４に示すように、第１のソフトクローズ機構５０と高さ位置及び前後方向における位置が同一となるように後ろ側引き戸４の裏面４ｂに第２のブラケット６３を介して固定されている。この第２のブラケット６３は、２つの第２の支持要素４０，４０の間において正面視左側寄りに取り付けられており（図５参照）、前側の立片６５と、この立片６５の上端から後方に延びる水平片６４とから構成され、この水平片６４に第２のソフトクローズ機構６０が固定されている。第２の受座は、図２，５に示すように、一体ものの部材として構成されている上方レール７，８の頂壁７３，８３の境界部、すなわち第２のソフトクローズ機構６０の作動部６１と前後方向に略同一の位置において収納具本体２の正面視左側寄りに設けられており、当該作動部６１と係合可能な高さ位置まで下方に突出している。
【００３６】
このような第２の減速手段６を備えることから、後ろ側引き戸４を閉止に向けて右側から左側に向かってスライド移動させると、第２のソフトクローズ機構６０の作動部６１と上部レール７，８に固定されている第２の受座６２とが途中で係合し、前記緩衝機構の作用により作動部６１が第２のソフトクローズ機構６０内を相対的に左から右へゆっくりと移動する。そのため、第２のソフトクローズ機構６０が取り付けられている後ろ側引き戸４にブレーキが掛かって移動速度が低下し、この速度が一定になると、前記引き込み機構の作用により作動部６１が第２のソフトクローズ機構６０内を相対的に左から右に向かってゆっくりと移動する。したがって、後ろ側引き戸４は第２の側板２３ｂへ向かってゆっくりと移動し、後ろ側引き戸４が第２の側板２３ｂに衝突することによる衝撃を抑制することができる。
【００３７】
なお、これら第１のソフトクローズ機構５０及び第２のソフトクローズ機構６０としては、部品の納まりや作動性を良好にするために収納具１用の専用部品を用いてもよく、また、コストを削減するために汎用品を用いてもよい。また、第１の受座５２、第２の受座６２、上記第１の支持要素３０及び第２の支持要素４０としては、それぞれ左右対称形状の部材を用いている。
【００３８】
図２，３，５に示すように、前側引き戸３の上側且つ幅方向中央部には、引き戸３，４のスライド移動を規制するロック機構９が取り付けられている。このロック機構９には、図１，５に示すように前方に向けて鍵挿入穴９１が形成されている。また、このロック機構９は、後ろ側引き戸４に向けて延在し、その先端部が直角に折り曲げられたＬ字状のロック部材９０を備えている。この鍵挿入穴９１に所定の鍵を挿入して回転させ、前記先端部が後ろ側引き戸４に係り合うようにロック部材９０を回転させることで、各引き戸３，４をスライド移動が禁止された状態にすることができる。また、前記先端部が後ろ側引き戸４と係り合わないようにロック部材９０を回転させることで、各引き戸３，４をスライド移動が可能な状態にすることができる。さらに、前側引き戸３における裏面３ｂの正面視右側端部には、後ろ側引き戸４の正面視右側側面と当接可能な図示しないストッパーが後方に突出して設けられている。そのため、後ろ側引き戸４はこのストッパーよりも右側への移動が禁止された状態となっており、前側引き戸３と後ろ側引き戸４とはスライド移動させても左右方向の位置が入れ替わらない構成となっている。
【００３９】
また、本実施形態の収納具１は、第１の受座５２、第２の受座６２、上記第１の支持要素３０及び第２の支持要素４０がそれぞれ左右対称形状であり、これらの部品を左右に付け替えることで閉止時に前側引き戸３が正面視左側となり、後ろ側引き戸４が正面視右側となるように構成することが可能となっている。
【００４０】
以上のように本実施形態の収納具１は、収納空間Ｓを有し、その収納空間Ｓを外部に開放する開口２５が前面２４に形成された収納具本体２を有するものであって、収納具本体２の頂板２０に幅方向に延在するガイドレールとしての第１の上方レール７を設け、この第１の上方レール７より前方に延びる第１の支持要素３０を介して前面２４よりも前方で前側引き戸３を懸吊支持して前側引き戸３により頂板２０の前面２０ｘを被覆し、前側引き戸３の上部とほぼ等しい高さ位置に、前側引き戸３が閉止に向けてスライド移動する際の速度を低下させる第１の減速手段５を設けるように構成したものである。
【００４１】
このように構成していることから、第１の上方レール７より前方に延びる第１の支持要素３０によって前側引き戸３が懸吊支持されるとともに収納具本体２の前面２４よりも前方に位置することになり、外部から見て収納具本体２の頂板２０の前面２０ｘが前側引き戸３により遮られて視認し得ない状態となることから、高級感のある意匠性を備えた収納具１とすることができる。また、前側引き戸３を配置するための空間を収納具本体２の内部に設ける必要がなく、広い収納空間Ｓを確保することができる。また、第１の減速手段５を設けることで、前側引き戸３がゆっくりと閉止される機能（ソフトクローズ機能）を付与した高級感のある収納具１とすることができる。さらに、前側引き戸３を支持する第１の上方レール７と第１の減速手段５とが収納具１内部の上方に設けられることになり、第１の減速手段５が下方に設けられる場合よりもスライド移動する前側引き戸５に第１の減速手段３によって生じるモーメントが小さくなることから、前側引き戸３の傾きを抑制して良好な操作性を得ることができる。
【００４２】
また、前側引き戸３として重量の大きいものを用いたり、第１の上方レール７より前後方向に前側引き戸３を離間させることで、収納具本体２内部で各部材に抵抗が生じ、前側引き戸３がスライド移動しにくくなるおそれがあるが、前側引き戸３が懸吊支持された吊り戸構造であることから、各部材に生じる抵抗を低減させて円滑な操作性を得ることができる。
【００４３】
また、第１の上方レール７に、第１の支持要素３０をレール外に持ち出すための第１の開放部７ａを後方に向けて形成していることから、第１の上方レール７の後方側より第１の支持要素３０を持ち込むことができ、上框２０ａと第１の上方レール７との間に第１の支持要素３０を持ち込むための隙間を設ける必要がない。そのため、第１の支持要素３０として前後方向の長さが短いものを用いることができ、前側引き戸３に働くモーメントを抑制して、操作性をより良好にすることができる。
【００４４】
また、前記前側引き戸３をその後方に第２の引き戸としての後ろ側引き戸４が設けられた前側引き戸３として利用し、この前側引き戸３を支持する第１の上方レール７の後方に幅方向に延在する第２のガイドレールとしての第２の上方レール８を設け、この第２の上方レール８より前方に延びる第２の支持要素４０を介して、前側引き戸３を支持する第１の支持要素３０の下方に上面４ｃが位置するように後ろ側引き戸４を懸吊支持する構成としている。そのため、引き違い戸であるこれら２枚の引き戸３，４同士の干渉を避けて引き残しを生じさせないようにすることができ、開口幅を大きくすることができる。
【００４５】
併せて、前側引き戸３を支持する第１の上部レール７及び第２の上方レール８に、支持要素３０，４０をレール外に持ち出すための開放部７ａ，８ａを互いに対向して形成する構成としたことから、第１の上部レール７に第１の支持要素３０を持ち込むための空間と、第２の上部レール８に第２の各支持要素４０を持ち込むための空間とを共用して、収納具本体２の収納空間Ｓをより広く利用することができる。
【００４６】
さらに、前側引き戸３を支持する第１の上部レール７内に第１の支持要素３０を介して前側引き戸３に接続された第１の移動体としての第１のローラ３５を移動可能に収容するとともに、第２の上部レール８内に第２の支持要素４０を介して後ろ側引き戸４に接続された第２の移動体としての第２のローラ４５を移動可能に収容し、各上部レール７，８の間に、第１の減速手段５及び後ろ側引き戸４が閉止に向けて移動する際の速度を低下させる第２の減速手段６を設けた構成としている。このような構成であると、前側引き戸３を支持する第１のローラ３５と第１の減速手段５との前後方向の距離に対し、後ろ側引き戸４を支持する第２のローラ４５と第２の減速手段６との前後方向の距離を略等しくすることができ、各減速手段５，６よりそれぞれの引き戸３，４に作用する影響をほぼ同等にすることが可能となるため、各引き戸３，４を閉じる際の操作感の相違を抑制して、良好な使用感を得ることが可能となる。
【００４７】
以上のような収納具１は、例えば、図６に示すように、収納具１の上面１ａに天板１１を載置した天板付き家具１０を構成するものとして利用することができる。また、同図に示すように、収納具本体２の背面板２２と部屋の壁面とを固定し、収納具１を壁面に取り付けて利用することも可能である。
【００４８】
以上、本発明の一実施形態について説明したが、各部の具体的な構成は、上述した実施形態のみに限定されるものではなく、本発明の趣旨を逸脱しない範囲で種々変形が可能である。
【００４９】
例えば、本実施形態では、第１の開放部７ａと第２の開放部８ａとが互いに対向するように各上部レール７，８が取り付けられるとともに、第１のソフトクローズ機構５０が前側引き戸３に取り付けられ、第２のソフトクローズ機構６０が後ろ側引き戸４に取り付けているが、図７に示すように、各開放部７ａ，８ａが互いに対向する構成としつつ、第１のソフトクローズ機構５０及び第２のソフトクローズ機構６０を、第１の上部レール７の頂壁７３と第２の上部レール８の頂壁８３との境界部に取り付けた構成としてもよい。この場合、各ソフトクローズ機構５０，６０と係合する受座は、例えば第１のローラ３５と前側引き戸３とを接続する支持要素１３０、及び、第２のローラ４５と後ろ側引き戸４とを接続する支持要素１４０に固定する。
【００５０】
また、図８に示すように、各ソフトクローズ機構５０，６０を第１の上部レール７の頂壁７３と第２の上部レール８の頂壁８３との境界部に取り付けた構成としつつ、各上部レール７，８の開放部７ａ，８ａがそれぞれ前方を向くように構成されてもよい。さらに、各上部レール７，８の開放部７ａ，８ａがそれぞれ後方を向くように構成されていてもよい。
【００５１】
また、各ソフトクローズ機構５０，６０を各上部レール７，８間以外の箇所に設けた構成としてもよく、例えば図９に示すように、第１のソフトクローズ機構５０を前側引き戸３内部に取り付けた構成としてもよい。この場合、第１のソフトクローズ機構５０と係合する受座は第１の上部レール７の前面等に取り付ける。さらに、図１０に示すように、後ろ側引き戸４を支持する第２の上方レール８を前側引き戸３の上部に取り付けた構成としてもよい。
【００５２】
さらに、本実施形態では、第１の受座５２と第２の受座６２と第１の支持要素３０と第２の支持要素４０とがそれぞれ左右対称形状であるとともに、前側引き戸３と後ろ側引き戸４とを左右の位置を入れ替えて利用可能であるが、このような入れ替えができないような構成としていてもよく、また上記部材として左右非対称形状のものを用いてもよい。
【００５３】
またさらに、本実施形態では減速手段本体としてソフトクローズ機構５０，６０を用いたが、これに限定されず引き戸用のエアダンパーやシリンダー等を用いてもよい。また、減速手段本体として緩衝機構及び引き込み機構を備えるものを用いたが、減速手段本体は少なくとも緩衝機構を備えていればよく、引き込み機構を備えないものを用いてもよい。
【００５４】
また、本実施形態では前側引き戸３及び後ろ側引き戸４を用いているが、図１１に示すように、後ろ側引き戸４を用いず、前側引き戸３のみを用いた構成としてもよい。この場合、前側引き戸３は、収納具本体２の一方の側板２３ａの前面２３ａｘから他方の側板２３ｂの前面２３ｂｘに亘ってスライド移動可能となり、収納具本体２の開口２５の開口幅を大きくすることができる。また、このような構成では、減速手段を前側引き戸３の左右方向両端部に取り付けることが好ましく、これによって前側引き戸３が一方の側板２３ａの前方までスライド移動する際、及び他方の側板２３ｂの前方までスライド移動する際に、前側引き戸３の速度が低下し、ストッパー等との衝突による衝撃を抑制することができる。なお、前側引き戸３及び後ろ側引き戸４を用いる場合であっても、前側引き戸３を収納具本体２の一方の側板２３ａの前面２３ａｘから他方の側板２３ｂの前面２３ｂｘに亘ってスライド移動可能に構成してもよい。
【００５５】
その他の構成も、本発明の趣旨を逸脱しない範囲で種々変形が可能である。
【符号の説明】
【００５６】
１…収納具
１ａ…収納具の上面
２…収納具本体
３…引き戸（前側引き戸）
４…第２の引き戸（後ろ側引き戸）
４ｃ…第２の引き戸の上面
５…減速手段（第１の減速手段）
６…第２の減速手段
７…ガイドレール（第１の上方レール）
７ａ…開放部（第１の開放部）
８…第２のガイドレール（第２の上方レール）
８ａ…開放部（第２の開放部）
１０…天板付き家具
１１…天板
２０…頂板
２０ｘ…頂板の前面
２３ａ，２３ｂ…側板
２３ａｘ，２３ｂｘ…側板の前面
２４…収納具本体の前面
２５…開口
３０…支持要素（第１の支持要素）
３５…第１の移動体（第１のローラ）
４０…第２の支持要素
４５…第２の移動体（第２のローラ）
Ｓ…収納空間
【図１】
2015025334.tif 000003
【図２】
2015025334.tif 000004
【図３】
2015025334.tif 000005
【図４】
2015025334.tif 000006
【図５】
2015025334.tif 000007
【図６】
2015025334.tif 000008
【図７】
2015025334.tif 000009
【図８】
2015025334.tif 000010
【図９】
2015025334.tif 000011
【図１０】
2015025334.tif 000012
【図１１】
2015025334.tif 000013